(57)【要約】 【課題】  端子接続部側と基板接続部側とで双方の接続相手が異なる配列パターンをとっていても対応できるようにする。【解決手段】  端子金具２０は、一端側にハウジング１１の装着孔１４に圧入されて相手端子に接続される端子接続部２１を、他端側にハウジング１１の後端面から引き出されてプリント基板３０の取付孔３１に挿入される基板接続部２２を、それぞれ備えている。基板接続部２２が、端子接続部２１の軸芯に対してオフセットして配されることにより、ハウジング１１に装着された多数の端子金具２０は、端子接続部２１側では同端子金具２０の幅方向に千鳥配置とされる一方、基板接続部２２側ではプリント基板３０において方形の格子状に整列配置とされる。【選択図】  図５
2005197092.tif 000002
【特許請求の範囲】
【請求項１】
一端側にハウジングの装着孔に圧入されて相手端子に接続される端子接続部を、他端側に前記ハウジングの導出面から引き出されて回路基板の取付孔に挿入される基板接続部を、それぞれ備え、
前記基板接続部が、前記端子接続部の軸芯に対してオフセットして配されていることを特徴とする端子金具。
【請求項２】
回路基板に取り付けられるハウジングと、このハウジングに対して高さ方向に複数段かつ幅方向に複数列並んで装着される多数の端子金具とを備え、
前記端子金具は、一端側に前記ハウジングの装着孔に圧入されて相手端子に接続される端子接続部を、他端側に前記ハウジングの導出面から引き出されて回路基板の取付孔に挿入される基板接続部を、それぞれ備え、
前記多数の端子金具は、前記基板接続部が前記端子接続部の軸芯に対してオフセットして配されているものを含むよう前記ハウジングに装着されることにより、前記端子接続部側では同端子金具の幅方向に千鳥配置とされる一方、前記基板接続部側では前記回路基板において方形の格子状に整列配置とされることを特徴とする基板用コネクタ。
【発明の詳細な説明】
【技術分野】
【０００１】
本発明は、端子金具及び基板用コネクタに関する。
【背景技術】
【０００２】
従来より、基板用コネクタとして、以下の特許文献１に記載のものが知られている。このものは、ハウジングに対して高さ方向に複数段かつ幅方向に複数列並んで装着される多数の端子金具を備え、各端子金具は、全体としてＬの字形をなし、その一端側にハウジングの装着孔に圧入されて相手端子に接続される端子接続部を、他端側にハウジングの後端面から引き出されて回路基板の取付孔に挿入される基板接続部を、それぞれ備えている。
【特許文献１】特開平６−２０３９０７号公報
【発明の開示】
【発明が解決しようとする課題】
【０００３】
ところで、図６に示すように、従来の端子金具１は、Ｌの字に曲げられる前、端子接続部２と基板接続部３とが同一の軸芯上に並ぶように配され、双方の接続相手が同じ配列パターンをとっていることが前提となっている。しかし、例えば、端子金具１をプリント基板に圧入するための治具が当接する治具受け部（図示せず）が各基板接続部３の側方に張り出して形成されている場合、各基板接続部３を幅方向に千鳥配置としたのでは治具による圧入操作が困難となるから、プリント基板において方形格子状の整列配置とすることが必要とされる一方で、各端子接続部２を千鳥配置とすることは規格により定まっているから、これを方形格子状の整列配置とすることはできない。そうすると、端子接続部２側と基板接続部３側とで配列パターンを異ならせる必要があるが、従来の端子金具１ではこれに対応することができないという事情がある。
【０００４】
本発明は上記のような事情に基づいて完成されたものであって、端子接続部側と基板接続部側とで双方の接続相手が異なる配列パターンをとっていても対応できるようにすることを目的とする。
【課題を解決するための手段】
【０００５】
上記の目的を達成するための手段として、請求項１の発明は、一端側にハウジングの装着孔に圧入されて相手端子に接続される端子接続部を、他端側に前記ハウジングの導出面から引き出されて回路基板の取付孔に挿入される基板接続部を、それぞれ備え、前記基板接続部が前記端子接続部の軸芯に対してオフセットして配されている構成としたところに特徴を有する。
【０００６】
請求項２の発明は、回路基板に取り付けられるハウジングと、このハウジングに対して高さ方向に複数段かつ幅方向に複数列並んで装着される多数の端子金具とを備え、前記端子金具は、一端側に前記ハウジングの装着孔に圧入されて相手端子に接続される端子接続部を、他端側に前記ハウジングの導出面から引き出されて回路基板の取付孔に挿入される基板接続部を、それぞれ備え、前記多数の端子金具は、前記基板接続部が前記端子接続部の軸芯に対してオフセットして配されているものを含むよう前記ハウジングに装着されることにより、前記端子接続部側では同端子金具の幅方向に千鳥配置とされる一方、前記基板接続部側では前記回路基板において方形の格子状に整列配置とされる構成としたところに特徴を有する。
【発明の効果】
【０００７】
＜請求項１の発明＞
本発明の端子金具は、基板接続部が端子接続部の軸芯に対してオフセットして配されているから、回路基板の取付孔が基板接続部の引き出し方向に対して位置ずれする位置にあっても、基板接続部を対応する取付孔に確実に挿入することができる。その結果、端子接続部側と基板接続部側とで双方の接続相手が異なる配列パターンをとっていても対応することができる。
【０００８】
＜請求項２の発明＞
多数の端子金具は、基板接続部が端子接続部の軸芯に対してオフセットして配されているものを含むようハウジングに装着されることにより、端子接続部側では同端子金具の幅方向に千鳥配置とされる一方、基板接続部側では回路基板において方形の格子状に整列配置とされるから、仮に、端子金具を回路基板に圧入するための端子圧入治具が当接する治具受け部が基板接続部の両側方に張り出して形成されていても、端子接続部側を規格通りの千鳥配置とした状態で、基板接続部側を端子圧入治具の取り扱いが容易な方形格子状の整列配置とすることが可能となる。
【発明を実施するための最良の形態】
【０００９】
＜実施形態１＞
本発明の実施形態１を図１ないし図５によって説明する。
本実施形態に係る基板用コネクタ１０は、合成樹脂製のハウジング１１と複数の端子金具２０とを備えて構成されている。
【００１０】
ハウジング１１は、略垂直に立ち上げられたハウジング本体部１２と、このハウジング本体部１２の前方に開口して形成される角筒状のフード部１３とを備え、フード部１３は、図示しない相手コネクタのハウジングと嵌合可能とされている。また、ハウジング本体部１２には、高さ方向に複数段（図示する場合は上下２段）かつ幅方向に複数列(図示する場合は、上段が３列、下段が２列）並ぶようにして装着孔１４が前後方向に貫通して形成されている。各装着孔１４は、図１に示すように、幅方向に沿って千鳥配置とされ、上段の隣接する両装着孔１４間下方に下段の装着孔１４が一つ配されるような構成とされている。各装着孔１４にはそれぞれ端子金具２０が圧入によって挿入可能とされている。ハウジング１１に装着された端子金具２０は、フード部１３内に突出して配され、その突出する部分が図示しない相手側の端子金具と電気的に接続可能とされている。
【００１１】
端子金具２０は、断面矩形状の棒材として形成され、図４及び図５に示す状態から長さ方向の略中央部を略直角に屈曲させることで全体としてＬの字形をなしている。また、端子金具２０のうちの長さ方向の一端部は、ハウジング１１の装着孔１４に後方から圧入されてハウジング１１に固定可能な端子接続部２１とされ、他端部は、ハウジング１１の後端面（本発明の導出面に相当）から引き出されて水平に延びたあと下方へ直角曲げされてプリント基板３０の回路に接続される基板接続部２２とされている。基板接続部２２の下端部には、プリント基板３０の取付孔３１に圧入される圧入部２３が設けられている。そして、基板接続部２２は、端子接続部２１の軸芯つまり中心軸線に対して幅方向にオフセットした形状とされている。また、端子接続部２１は、基板接続部２２よりも幅広に形成されており、強度を高めた構造とされている。
【００１２】
端子接続部２１と基板接続部２２との境には、軸直交方向つまり幅方向に張り出す受け部２４が形成されている。受け部２４は、端子接続部２１を装着孔１４に圧入する際に圧入治具を押し当てる当て面２４Ａを備え、この当て面２４Ａに圧入治具（図示せず）を押し当てて押し込むことにより、端子接続部２１がハウジング１１に圧入可能とされている。端子接続部２１は、その根元を受け部２４における幅方向一端側（図示する左端側）に接続させるとともにその一端縁を受け部２４の一端縁とほぼ面一に連ねて構成され、基板接続部２２は、その根元を受け部２４における幅方向他端側（図示する右端側）に接続させるとともにその他端縁を受け部２４の他端縁と段付き状に連ねて構成されている。
【００１３】
かかる端子金具２０は、図３に示すように、ハウジング１１に装着されると、ハウジング１１の後端面に受け部２４を当接させた状態として、上段側に位置する基板接続部２２が曲げの外側に配され、下段側に位置する基板接続部２２が曲げの内側に配されるようになっている。そして、各端子金具２０は、図１に示すように、正面視したときに、各端子接続部２１が幅方向に千鳥配置をとる一方、図２に示すように、背面視つまり圧入方向に視たときに、曲げの内側に位置する各基板接続部２２が曲げの外側に位置する各基板接続部２２の陰に隠れるようになっている。つまり、上段側において曲げの外側に位置する各基板接続部２２は、受け部２４を境に軸芯に対して幅方向他側（図示する右側）にオフセットされ、下段側において曲げの内側に位置する各基板接続部２２は、受け部２４を境に軸芯に対して幅方向一側（図示する左側）にオフセットされ、結果、各基板接続部２２は、端子接続部２１側におけるピッチのずれを解消して曲げの内側と外側とで重なって並ぶようになっている。
【００１４】
そして、各基板接続部２２は、プリント基板３０において圧入部２３が方形の格子状に整列配置され、これと対応するようプリント基板３０の取付孔３１も同じく方形の格子状に整列配置されることとなる。なお、基板接続部２２が方形の格子状に整列配置されるとは、縦横に延びる多数の直線が互いに直交する際の交差点に基板接続部２２の中心軸が配列されることを意味する。
【００１５】
次に、本実施形態の作用を説明する。コネクタのハウジング１１は、プリント基板３０に対して上方から載置固定され、それとともに端子金具２０の各基板接続部２２がプリント基板３０の対応する取付孔３１に上方から挿入されて回路と電気的に接続される。このとき、各基板接続部２２と各取付孔３１の配列パターンは方形格子状で一致しているから、各基板接続部２２は、対応する取付孔３１にスムーズに挿入可能とされる。一方、ハウジング１１のフード部１３には相手コネクタのハウジング１１が嵌合され、この嵌合にともないフード部１３内に突出する各端子接続部２１が対応する相手側の端子金具と電気的に接続される。このとき、各端子接続部２１と相手側の端子金具の各接点部の配列パターンは千鳥配置で一致しているから、各端子接続部２１は、対応する相手側の端子金具とスムーズに接触可能とされる。
【００１６】
このように本実施形態によれば、基板接続部２２が端子接続部２１の軸芯に対してオフセットして配されているから、基板接続部２２の引き出し方向に対してプリント基板３１の取付孔３１が幅方向に位置ずれしていても、基板接続部２２を対応する取付孔３１に確実に挿入することができる。
【００１７】
また、仮に、基板接続部２２に治具受け部を両側方に張り出すようにして設け、この治具受け部に端子圧入治具を当てて押し込むことにより、基板接続部２２をプリント基板３０の取付孔３１に挿入させるような場合、端子金具２０の曲げの内側と外側とが重なって並ぶようにしないと、端子圧入治具を内側の端子金具２０の治具受け部に宛がうことができない。そうすると、基板接続部２２は、プリント基板３０において圧入部２３が方形の格子状に整列配置されていることが必要とされる。しかるに一方で、端子接続部２１は、相手側の端子金具と接続するに際し、幅方向に千鳥配置の構成とされることが規格により定まっているので、これを変更して方形格子状の整列配置とすることはできない。かかる場合、本実施形態によれば、各端子金具２０が、端子接続部２１側では同端子金具２０の幅方向に千鳥配置とされる一方、基板接続部２２側ではプリント基板３０において圧入部２３が方形の格子状に整列配置とされているから、端子接続部２１側を規格通りの千鳥配置とした状態で、基板接続部２２側を圧入治具の取り扱いが容易な方形格子状の整列配置とすることができ、簡単な構造でもって双方の電気的接続をとることができる。
【００１８】
なお、いわゆるプレスフィット端子の一般的な構造は、上述したように、基板接続部２２の両側方に治具受け部が張り出して設けられているので、該プレスフィット端子において本実施形態に係る端子金具２０を好適に用いることができる。
【００１９】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記実施形態によれば、多数の端子金具がハウジングにおいて上下２段に千鳥配置されていたが、本発明によれば、多数の端子金具がハウジングにおいて上下３段以上に千鳥配置されていてもよい。
【００２０】
（２）上記実施形態によれば、ハウジングに装着される全ての端子金具の基板接続部が端子接続部の軸芯に対してオフセットして配されていたが、本発明によれば、ハウジングに装着される一部の端子金具の基板接続部が端子接続部の軸芯に対してオフセットして配されているだけでもよい。
（３）上記実施形態によれば、端子金具に受け部を設けていたが、本発明によれば、端子金具に受け部を設けない構成とすることもできる。
【図面の簡単な説明】
【００２１】
【図１】本発明の実施形態に係る基板用コネクタの要部正面図
【図２】基板用コネクタの要部背面図
【図３】プリント基板に取り付ける前の状態を示す基板用コネクタの要部断面図
【図４】端子金具の正面図
【図５】端子金具の斜視図
【図６】従来の端子金具の正面図
【符号の説明】
【００２２】
１０…基板用コネクタ
１１…ハウジング
１４…装着孔
２０…端子金具
２１…端子接続部
２２…基板接続部
３０…プリント基板
３１…取付孔
【図１】
2005197092.tif 000003
【図２】
2005197092.tif 000004
【図３】
2005197092.tif 000005
【図４】
2005197092.tif 000006
【図５】
2005197092.tif 000007
【図６】
2005197092.tif 000008